(57)【要約】【目的】本発明は集水ボーリングにおける保孔管に関し、管体適宜個所にあけた孔に筒形突起を装入して管内面より内側に突出させると共に、その筒形突起の先端部位の孔を横向きに設け、地山に設置した場合において、保孔管の集水孔から取り込んだ地下水が自然流下した場合、その集水孔から保孔管の外部への漏水を極力少なくし、保孔管の先端から効率的に排水できるようにしたものである。【構成】管体（１）の周面における設定個所に集水用筒形突起の装入孔（２）を設け、これに装入した集水孔（４）付き突起（３）の先端部位を管体内に突出させ、且つその先端（３１）を塞ぐと共に、管体内の突起に管体排水口方向にだけ向く横孔（３２）を設け、且つ筒形の集水孔付き突起（３）の外形を基端から先端に向かって細くなるテーパーに成形した構成。【選択図】      図１
2004190324.tif 000002
【特許請求の範囲】
【請求項１】
管体（１）の周面における設定個所に集水用筒形突起の装入孔（２）を設け、これに装入した集水孔（４）を有する突起（３）の先端部位を管体内に突出させ、且つ当該突起の集水孔先端（３１）を塞ぐと共に、管体内の突起に管体排水口方向にだけ向く横孔（３２）を設けたことを特徴とする集水ボーリングにおける保孔管。
【請求項２】
筒形の集水孔付き突起（３）の外形を基端から先端に向かって細くなるテーパーに成形すると共に、当該突起の集水孔先端面（３１）を塞ぐと共に、突起（３）の先端部位に横孔（３２）をあけたことを特徴とする集水ボーリングにおける保孔管用集水孔付きボス。
【発明の詳細な説明】
【０００１】
【発明が属する技術分野】
本発明は集水ボーリングにおける保孔管に関するものであり、管体適宜個所にあけた孔に筒形突起を装入して管内面より内側に突出させると共に、その筒形突起の先端部位の孔を横向きに設け、地山に設置した場合において、保孔管の集水孔から取り込んだ地下水が自然流下した場合、その集水孔から保孔管の外部への漏水を極力少なくし、保孔管の先端から効率的に排水できるようにしたものである。
【０００２】
【従来の技術】
一般に、ボーリング工事において、ボーリングしたままの状態では孔壁が保持できず、崩れるので、硬質塩化ビニール管や鉄管等を挿入して孔壁の保護を目的とし、その目的とする滞水層区間（集水区間）にストレーナ加工又はスリット加工を施している。
【０００３】
また、集水した地下水が管内を流下する途中で地層中に再浸透するケースがあるが、この場合はボーリング孔壁と保孔管の間にモルタルを注入するか、再浸透する区間のケーシングを残置する等、再浸透防止の措置を講じること行われる。そして、保孔管は硬質塩化ビニール管の周面四方向に直径が数ｍｍの孔を一定間隔でストレーナ加工を施してあるのが一般的である。
【０００４】
そして実験の結果、硬質塩化ビニール管の周面四方向に直径５ｍｍの孔を１０ｃｍ間隔であけ、且つ長さ１．０ｍの保孔管を仰角５°前後にに設置し、２，０００ｃｍ３の水を自然流下させた場合、保孔管の末端まで到達した水は約１，０００ｃｍ３であった。
【０００５】
この場合、保孔管の周囲が透水性１００％の地盤条件であるが、５０％の水が漏水したことになる。長さ２．０ｍでは７５％，長さ５．０ｍでは９７％が漏水することになる。
【０００６】
このことは、地盤条件、保孔管と孔壁との隙間等の条件によるが、一旦、集水した有害地下水を同じ地すべりブロック内に再浸透させる可能性が高く、また、下位に位置する地すべりブロックに有害地下水を供給することになり、集水ボーリング工の施工効果が非常に損なわれているものと推測される。
【０００７】
【課題を解決するための手段】
本発明の第１は、集水ボーリングにおける保孔管において、管体の周面における設定個所に集水用筒形突起の装入孔を設け、これに装入した集水孔付き突起の先端部位を管体内に突出させ、且つ当該突起の集水孔先端を塞ぐと共に、管体内の突起に管体排水口方向にだけ向く横孔を設けたものである。
【０００８】
本発明の第２は集水ボーリングにおける保孔管用集水孔付きボスにおいて、筒形の孔付き突起の外形を先端に向かって細くなるテーパーに成形すると共に、当該突起の集水孔先端面を塞ぐと共に、当該突起の先端部位に横孔をあけたものである。
【０００９】
【発明の実施の形態】
図９において、地山Ａへの掘進勾配θは、集水した地下水が自然流下するように仰角とし、掘進孔径は６６ｍｍ以上とする。
掘進長さは、目的とする滞水層、またはすべり面以深までの余裕の長さを有するものを標準とする。
【００１０】
掘進終了後には、目的とする滞水層区間にストレーナ加工又はスリット加工を施した硬質塩化ビニール管や鉄管等の保孔管体１を挿入する。保孔管体１の先端部分については、土砂が入り目詰まりを起こさないよう処置を施す。なお、保孔管体１の継ぎ手はソケット継ぎ手又は突合せ継ぎ手とする。
【００１１】
【実施例】
図１及び図２において、１は硬質塩化ビニール製を可とする管体、２は管体周面の設定個所にあけた集水用孔であり、図示例は直径Ｒ＝５ｍｍの孔を管体の四方向に交互に、且つ間隔Ｓ＝１２５ｍｍでストレーナ加工を施してある。この場合、隣り合う孔２と孔２の間隔はＳ×０．５である。
【００１２】
３は集水用孔２に装入した集水孔付き突起であり、その先端部位を管体内部に突出させると共に筒体の下端３１を塞ぎ、且つ管体１の先端排水口方向に向けた横孔３２を設けてある。前記の突起３は図１〜図６にあっては、管体の内面から先端までの長さｈ＝５ｍｍ程度で突出させてある。この場合、横孔３２の孔縁までの突起の長さｈ′は、管体の肉厚ｔとほぼ同じに設定してあるので管体内面と面位置状態になっている。また、図６及び図７にあっては、管体内面から横孔３２の孔縁までの突起の長さｈ′＝３ｍｍとしてある。
前記の突起３の先端までの突出長さｈは、あまり長いと泥土が付着滞留して目詰まりを起こし、集水効率が悪くなってしまうので５〜７ｍｍ程度を可とする。当該突起は管体１と同材質又は異なる合成樹脂材料で成形することを可とする。４は前記突起３あけた集水孔であり、その先端部３１を塞ぐと共に、その先端近くに設けた横孔３２に連通している。
【００１３】
図９において、６は地山Ａにあけたボーリング孔、７はボーリング孔に装入した管体１の先端部位に接続する導水パイプ、８は管体１と導水パイプ７及び導水パイプ同士を接続する継ぎ手、９は地山法面の法先Ａ１の付近に設置した蛇篭、１０は水路を示す。Ａｎは地山の地下水位を示す。
【００１４】
【具体的な施工例】
本願発明の具体的な施工順序は次のとおりである。
（１）  ボーリング機械にて地山Ａに掘削口径６６ｍｍ以上の孔を掘削する。
（２）  掘削終了後、ストレーナのついた管体１を装入する。
（３）  装入した管体１の先端部位に導水パイプ７を継ぎ手を介して接続する。
（４）  導水パイプ７の先端は水路１０に向けてある。
（５）  必要に応じて、地山Ａの法先Ａ１の付近に蛇篭９（又はコンクリート壁）を設置する。
（６）  この状態において、地下水は管体１の集水孔４から筒形突起内に流入し、且つ孔付き突起３の横孔３２から管体１の内面に沿って管体先端から排水する。
（７）  一方、管体内に入り込んだ地下水が多量の場合、横孔から集水孔を通じて管体の外に洩水する作用が生じるが、流水方向（図１の矢印方向）に突起の対峙する面は横孔を遮断した状態なっているため、洩水したとしてもその量はごく少量となる。
【００１５】
【発明の効果】
本発明は上記のように、保孔管の集水用突起の装入孔に集水孔付き突起を装入すると共に、その突起の先端までの長さが管内面より５ｍｍ程度内側に突出され、しかも筒形突起の先端部の横孔は、管体排水口方向に向いているため、その孔縁が管体内面とほぼ面位置であったり、長さが約３ｍｍ程度の短さであっても、管体内からの外部への漏水を極力防ぐことができると共に、集水効率を確実に保持することができる。
【００１６】
そして、地山に仰角に設置することによって、集水孔によって取り込んだ地下水が自然流下した場合、保孔管の末端まで殆どが到達し、保孔管の外面にはほとんど漏水はなかった。従って、集水した地下水を管体を通って効率良く地区外に排除することができる。
【図面の簡単な説明】
【図１】本発明に係る集水ボーリングにおける保孔管の実施例を示す正面図である。
【図２】図１の２−２線に沿う拡大断面図である。
【図３】図２の３−３に沿う断面図である。
【図４】図３の分解断面図である。
【図５】図４の集水孔付き突起の平面図である。
【図６】集水孔付き突起の斜視図である。
【図７】図２の他の実施例を示す拡大断面図である。
【図８】図７の８−８線に沿う断面図である。
【図９】集水ボーリング工の概念図である。
【符号の説明】
１  管体
２  管体にあけた集水用突起の装入孔
３  孔付き突起
４  突起の孔
【図１】
2004190324.tif 000003
【図２】
2004190324.tif 000004
【図３】
2004190324.tif 000005
【図４】
2004190324.tif 000006
【図５】
2004190324.tif 000007
【図６】
2004190324.tif 000008
【図７】
2004190324.tif 000009
【図８】
2004190324.tif 000010
【図９】
2004190324.tif 000011